【手続補正書】
【提出日】平成16年8月18日(2004.8.18)
【手続補正１】
【補正対象書類名】明細書
【補正対象項目名】請求項４
【補正方法】変更
【補正の内容】
【請求項４】
前記配信コンテンツ制作手段は、配信コンテンツを制作する際、複数の管理トラックデータを当該コンテンツにさらに付加し、
各前記管理トラックデータは、それぞれ所定の態様で利用される１以上の区間を示す１以上の前記管理データの集まりを、当該利用態様と対応する１つの管理トラックとして定義することを特徴とする、請求項１に記載の配信コンテンツ制作装置。
【手続補正２】
【補正対象書類名】明細書
【補正対象項目名】００１８
【補正方法】変更
【補正の内容】
【００１８】
第４の発明は、第１の発明において、
配信コンテンツ制作手段は、配信コンテンツを制作する際、複数の管理トラックデータを当該コンテンツにさらに付加し、
各管理トラックデータは、それぞれ所定の態様で利用される１以上の区間を示す１以上の管理データの集まりを、当該利用態様と対応する１つの管理トラックとして定義することを特徴とする。
【手続補正３】
【補正対象書類名】明細書
【補正対象項目名】００５７
【補正方法】変更
【補正の内容】
【００５７】
配信コンテンツ制作部１３は、コンテンツが複数の態様で利用されることを想定して、各利用態様と対応する複数の管理トラック上で、それぞれ管理データの編集を行う。次に、同じ態様で利用される１以上の区間を示す１以上の管理データの集まりを１つの管理トラックとして定義する複数の管理トラックデータを生成する。そして、それら管理データおよび管理トラックデータをコンテンツに付加することによって配信コンテンツを制作し、制作した配信コンテンツを配信コンテンツ記憶部１２に記憶させる。
【手続補正４】
【補正対象書類名】明細書
【補正対象項目名】００６０
【補正方法】変更
【補正の内容】
【００６０】
図５は、図４のヘッダ部２１に含まれるヘッダ情報２４の例を示す図である。図５において、ヘッダ情報２４には、当該配信コンテンツ２０の総データサイズ”ＴｏｔａｌＳｉｚｅ”と、コンテンツ２５へのポインタ”ｐＣｏｎｔｅｎｔＤａｔａ”と、コンテンツ２５のデータサイズ”ｃｏｎｔｅｎｔＤａｔａＳｉｚｅ”と、管理トラック数”ｎｕｍＴｒａｃｋ”と、デフォルトのトラック番号”ｄｅｆａｕｌｔＴｒａｃｋＮｏ”と、先頭の管理トラック部２３へのポインタ”ｐＴｒａｃｋ”と、先頭の管理トラック部２３のサイズ”ｔｒａｃｋＳｉｚｅ”とが記載されている。
【手続補正５】
【補正対象書類名】明細書
【補正対象項目名】００７０
【補正方法】変更
【補正の内容】
【００７０】
コンテンツトラック２０５には、コンテンツが、その再生時間に比例した長さを持つ１つの矩形２０６として表示される。さらに、矩形２０６内に、特定の区間を指定するための２本の区分線（図中点線２１６，２１７）が表示される。各区分線２１６，２１７は、オペレータのマウス１０７操作に応じ、時間軸の方向に移動する（図ではｔ１，ｔ２の位置にある）。
【手続補正６】
【補正対象書類名】明細書
【補正対象項目名】００７１
【補正方法】変更
【補正の内容】
【００７１】
一方、各管理トラック（２０７，２１１および２１３）には、コンテンツトラック２０５内の矩形２０６に沿って、上記の区分線によって区切られた各区間と対応する管理データが、各々小矩形として表示される（例えば「管理トラック１」２０７では、区分線２１６，２１７によって区切られた区間ｔ１〜ｔ２に、管理データ２０８が小矩形として表示されている）。
【手続補正７】
【補正対象書類名】明細書
【補正対象項目名】００７７
【補正方法】変更
【補正の内容】
【００７７】
次に、オペレータは、ＧＵＩ画面上の「ボタン２」２０１をクリックする。応じて、管理データ編集部１３１は、ＧＵＩ画面上の「管理トラック１」２０７内の区間ｔ１〜ｔ２に管理データ（ここでいう管理データは、区間ｔ１〜ｔ２に再生条件が設定されたことを視覚的に示す小矩形）２０８を表示する（ステップＳ１０４）。続いて、管理データ編集部１３１は、ステップＳ１０３で設定した管理データ２０８の内容（すなわち、コンテンツの区間ｔ１〜ｔ２に対して「１番目」、「条件付き再生」および「２００円」を設定した旨）を、管理データ記憶部１３２に記憶させる（ステップＳ１０５）。
【手続補正８】
【補正対象書類名】明細書
【補正対象項目名】００７８
【補正方法】変更
【補正の内容】
【００７８】
以上で、コンテンツに対し、「管理トラック１」２０７上で１つの管理データ２０８が設定されたことになる。管理データの編集作業を終えたい場合、オペレータは、「終了」をクリックすればよい。また、引き続き「管理トラック１」２０７上で別の区間に対して管理データを設定したい場合、ＧＵＩ入力部１５を通じて再び「ボタン１」２００をクリックして再び文字入力画面を表示させ、上記と同様の設定処理を行えばよい。また、新たに「管理トラック２」２１１上で管理データを設定したい場合、「ボタン３」２０２をクリックして「管理トラック２」２１１を追加表示させてから、上記と同様の設定処理を行えばよい。
【手続補正９】
【補正対象書類名】明細書
【補正対象項目名】００８３
【補正方法】変更
【補正の内容】
【００８３】
図１２は、図３の管理データ編集部１３１が表示部１６に表示させる管理データ選択画面の一例を示す図である。図１２において、管理データ選択画面には、過去に編集した管理データ（２０８，２１２，…）とその内容（開始／終了時刻、再生順位、再生条件および課金条件）を記載したテーブルが含まれる。オペレータが利用したい管理データ（例えば管理データ２０８）をクリックすると、管理データ編集部１３１は、その管理データ（を示す矩形）をＧＵＩ画面（図１０参照）の「管理トラック２」２１１内にコピーすると共に、その管理データの内容を管理データ記憶部１３２から読み出す。
【手続補正１０】
【補正対象書類名】明細書
【補正対象項目名】００９６
【補正方法】変更
【補正の内容】
【００９６】
受信部４１は、ネットワーク３を通じて配信コンテンツを受信する。配信コンテンツ記憶部４２は、受信部４１が受信した配信コンテンツを記憶する。ＧＵＩ入力部４３は、ユーザによるＧＵＩ入力を受け付ける。再生部４４は、上記のようにして受信した配信コンテンツを視聴するためのものであり、ＧＵＩ入力部４３を通じてなされるユーザの指示に応じて、配信コンテンツ記憶部４２から配信コンテンツを読み出して再生し、表示部４５に出力する。課金部４６は、再生部４４の動作に関連して所定額の代金を課金する。
なお、端末４のハードウエア的な構成は、図８と同様でよい。
【手続補正１１】
【補正対象書類名】明細書
【補正対象項目名】０１０６
【補正方法】変更
【補正の内容】
【０１０６】
再び図１６において、ステップＳ４０５の判定結果が肯定の場合、再生部４４は、ステップＳ４０１で選択された管理データが指定する区間を再生する（ステップＳ４０６）。そして、ステップＳ４０７に進む。
ステップＳ４０７では、指定された管理トラックに含まれる全ての管理データが選択されたか否かが判定される。そして、判定結果が肯定であれば、図１５のフローに戻る。
【手続補正１２】
【補正対象書類名】明細書
【補正対象項目名】０１０９
【補正方法】変更
【補正の内容】
【０１０９】
第２は、１つ１つの管理データに再生順位を含めたので、各区間の再生順序を任意に変更することができる点である。例えば、図１０の「管理トラック１」２０７上の３つの管理データ２０８〜２１０に各々「１番目」「３番目」「２番目」を含めておけば、図１７に示すように、最初、コンテンツ（矩形２０６）内の区間ｔ１〜ｔ２を再生させ、次いで区間ｔ５〜ｔ６を再生させ、最後に区間ｔ３〜ｔ４を再生させることができる。
【手続補正１３】
【補正対象書類名】明細書
【補正対象項目名】０１１５
【補正方法】変更
【補正の内容】
【０１１５】
次に、オペレータは、マウス１０７等のＧＵＩ入力部１５を操作して、ＧＵＩ画面上の「ボタン３」２０２をクリックして、管理データを配置するための「管理トラック１」２０７を表示する。さらに、「ボタン１」２００をクリックして、図１１のような文字入力画面を表示し、コンテンツの配信時の利用条件を入力する。この例では、再生条件として「条件なし再生」を入力し、課金条件として「無料」を入力し、再生順位として「１番目」を入力する。さらに、この利用条件がコンテンツのどの部分に有効かを示す有効範囲を、コンテンツの開始時刻からのオフセット時刻として、開始時刻ｔ１、終了時刻ｔ２のように入力する。入力された管理データは、「管理トラック１」２０７内に、開始時刻ｔ１が左端、終了時刻ｔ２が右端に位置するように配置した矩形（管理データ２０８）として表示される。
【手続補正１４】
【補正対象書類名】明細書
【補正対象項目名】０１１６
【補正方法】変更
【補正の内容】
【０１１６】
管理データ編集部１３１は、入力された管理データを示す矩形（管理データ２０８）を、オペレータのマウス１０７操作に応じて時間軸方向（横方向）に拡大縮小することで、管理データ２０８の開始時刻および終了時刻を編集する。引き続き、オペレータが文字入力画面を通じて「条件なし再生」および「無料」と、開始時刻ｔ３および終了時刻ｔ４と、「３番目」とを入力すると、管理データ編集部１３１は、「管理トラック１」２０７上の位置ｔ３〜ｔ４に管理データ２０９を配置する。さらに、オペレータが文字入力画面を通じて「条件なし再生」および「無料」と、開始時刻ｔ５および終了時刻ｔ６と、「２番目」とを入力すると、管理データ編集部１３１は、「管理トラック１」２０７上の位置ｔ５〜ｔ６に管理データ２１０を配置する。次いで、管理データ編集部１３１は、編集した管理データ２０８，２０９および２１０を、管理データ記憶部１３２に記憶させる。なお、本例では、「管理トラック１」２０７において管理データが配置されていない部分は、再生不可能とする。
【手続補正１５】
【補正対象書類名】明細書
【補正対象項目名】０１２０
【補正方法】変更
【補正の内容】
【０１２０】
オペレータは、先ず、配信コンテンツ記憶部１２に記憶されている（第１の具体例で作成した）配信コンテンツを選択する。選択された配信コンテンツは、図１０に示すＧＵＩ画面上のコンテンツトラック２０５に、矩形２０６として配置される。さらに、「管理トラック１」２０７に、プロモーション用の管理データ２０８，２０９および２１０が表示される。
【手続補正１６】
【補正対象書類名】明細書
【補正対象項目名】０１２１
【補正方法】変更
【補正の内容】
【０１２１】
次に、オペレータは、ＧＵＩ入力部１５を通じてＧＵＩ画面上の「ボタン３」２０２をクリックして、上記の「管理トラック１」２０７の下に、フルパッケージ用コンテンツの管理データを配置するための新しい「管理トラック２」２１１を表示させる。そして、第１の具体例と同様の手順で、ＧＵＩ画面上の「ボタン１」２００をクリックして表示部１６に文字入力画面（図１１参照）を表示させ、各欄に再生条件を入力する。この場合は、フルパッケージ用なので、再生条件として「条件付き再生」を入力し、課金条件として料金（例えば「２００円」）を入力し、さらに、開始時刻（０）および終了時刻（ｅｎｄ）を入力する。入力された管理データは、「管理トラック２」２１１上に、入力時刻に応じた矩形（管理データ２１２）として表示される。
【手続補正１７】
【補正対象書類名】明細書
【補正対象項目名】０１２３
【補正方法】変更
【補正の内容】
【０１２３】
その後、オペレータは、ＧＵＩ入力部１５を通じ、ＧＵＩ画面上でフルパッケージ用の管理データ２１２が配置されている「管理トラック２」２１１をダブルクリックする。応じて、再生部１７は、配信コンテンツ記憶部１２から上記の新たな配信コンテンツを読み出して、フルパッケージ用の管理データに従い、コンテンツを再生する。なお、この配信コンテンツは、端末４側では実際に料金を支払わないと再生ができないが、制作装置１側では、上記のようにして制作した配信コンテンツが管理データに従って正しく再生されるかどうかを確かめたり、配信コンテンツを試しに再生して内容を確認したりするために、好ましくは、料金支払済みとした再生と、料金未払いとした再生との両方を行う。
【手続補正１８】
【補正対象書類名】明細書
【補正対象項目名】０１２８
【補正方法】変更
【補正の内容】
【０１２８】
次に、オペレータは、ＧＵＩ入力部１５を通じてＧＵＩ画面上の「ボタン３」２０２をクリックして、映像効果付きフルパッケージ用の管理データを配置するための新しい「管理トラック３」２１３を表示させる。第１の具体例と同様の手順で、ＧＵＩ画面上の「ボタン１」２００をクリックして表示部１６に文字入力画面（図１１参照）を表示させ、各欄に再生条件を入力する。この場合は、映像効果付きフルパッケージ用、つまり映像効果のかかった区間に対してのみ課金を行いたいので、映像効果のかかった区間に関し、再生条件として「条件付き再生；映像効果除去再生」を入力し、課金条件として料金（例えば「２００円」）を入力し、さらに、その区間の開始時刻（０）および終了時刻（ｔ７）を入力する。さらに、残りの区間、つまり映像効果のかかっていない区間に関し、再生条件として「条件なし」を入力し、課金条件として「無料」を入力し、さらに、その区間の開始時刻（ｔ７）および終了時刻（ｅｎｄ）を入力する。入力された管理データは、「管理トラック３」２１３上に、入力時刻に応じた矩形（管理データ２１４および２１５）として表示される。
【手続補正１９】
【補正対象書類名】図面
【補正対象項目名】図１
【補正方法】変更
【補正の内容】
【図１】
2002259275.tif 000001
【手続補正２０】
【補正対象書類名】図面
【補正対象項目名】図２
【補正方法】変更
【補正の内容】
【図２】
2002259275.tif 000002
【手続補正２１】
【補正対象書類名】図面
【補正対象項目名】図７
【補正方法】変更
【補正の内容】
【図７】
2002259275.tif 000003